【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
区分を識別する区分ＩＤを有し、割り込みに応答することができるプロセッサーを各々が含む複数の区分ユニットを含む区分を含んでいる区分された計算装置において、プロセッサーを交換プロセッサーでトランスペアレントに交換する方法であって
プロセッサーが交換されるべきであるという決定をするステップであって、前記交換されるべきプロセッサーは前記区分に割り当てられたプロセッサーであり、前記交換されるべきプロセッサーの区分ＩＤは前記区分の区分ＩＤであり、前記交換されるべきプロセッサーは前記区分ＩＤとは異なるプロセッサーＩＤを有し、前記プロセッサーＩＤとは異なるプロキシーＩＤ及び前記区分ＩＤは前記交換されるべきプロセッサーの前記プロセッサーＩＤにマッピングされ、前記プロキシ−ＩＤは一度に１つのみのプロセッサーにマッピングされ、その結果、前記プロキシ−ＩＤに向けられた割り込みは前記交換されるべきプロセッサーを中断する、決定をするステップと、
交換プロセッサーを選択するステップと、
前記交換されるべきプロセッサーを中断する前記割り込みを一時的に制限するステップと、
前記交換プロセッサーを活性化するステップと、
前記交換プロセッサーの区分ＩＤを前記交換されるべきプロセッサーの区分ＩＤに設定するステップと、
前記交換されるべきプロセッサーの状態を前記交換プロセッサーに転送するステップと、
前記プロキシ−ＩＤを前記交換プロセッサーのプロセッサーＩＤにマッピングするステップであって、その結果、前記プロキシ−ＩＤに向けられた前記割り込みは前記交換プロセッサーを中断する、マッピングするステップと
を含む方法。
【請求項２】
前記プロキシ−ＩＤは媒介に格納された不変の識別子である請求項１に記載の方法。
【請求項３】
前記媒介はＩ／Ｏ  ＡＰＩＣである請求項２に記載の方法。
【請求項４】
前記マッピングは論理的なモード配信を使用する請求項１に記載の方法。
【請求項５】
前記論理的なモード配信は、
（ａ）前記計算装置が論理的なＡＰＩＣ  ＩＤを使用するように、前記計算装置を構成するステップと、
（ｂ）前記論理的なＡＰＩＣ  ＩＤを再マッピングレジスタとして使用するステップと、
（ｃ）前記交換されるべきプロセッサーの論理的なＡＰＩＣ  ＩＤを前記交換プロセッサーに挿入するステップと
を含む請求項４に記載の方法。
【請求項６】
前記マッピングは物理的なモード配信を使用する請求項１に記載の方法。
【請求項７】
前記物理的なモード配信は、
（ａ）媒介にプロセッサーの不変のＡＰＩＣ  ＩＤを格納するステップと、
（ｂ）前記不変のＡＰＩＣ  ＩＤをプロセッサーの物理的なＡＰＩＣ  ＩＤにマッピングするステップと、
（ｃ）前記プロセッサーの物理的なＡＰＩＣ  ＩＤにマッピングされた前記不変のＡＰＩＣ  ＩＤに前記割り込みを向けるステップと
を含む請求項６に記載の方法。
【請求項８】
前記媒介はＩ／Ｏ  ＡＰＩＣである請求項７に記載の方法。
【請求項９】
前記マッピングは割り込みマッピングを使用する請求項１に記載の方法。
【請求項１０】
前記割り込みマッピングは、前記交換されるべきプロセッサーからの割り込みを前記交換プロセッサーにリダイレクトするステップを含む請求項９に記載の方法。
【請求項１１】
複数の区分ユニットを含む少なくとも１つの区分を含んでいる計算装置において、プロセッサーを交換プロセッサーでトランスペアレントに交換する方法であって、前記区分は区分識別子（ＩＤ）によって識別され、前記区分ユニットの各々は、前記区分ＩＤによって部分的に識別されるプロセッサーを含み、前記プロセッサーは割り込みに応答することができ、前記方法は、
プロセッサーが交換されるべきであるという決定をするステップであって、前記交換されるべきプロセッサーは前記区分ＩＤと異なる識別子であるプロセッサーＩＤを有し、前記プロセッサーＩＤとは異なるプロキシーＩＤ及び前記区分ＩＤは前記交換されるべきプロセッサーの前記プロセッサーＩＤにマッピングされ、前記プロキシ−ＩＤは一度に１つのみのプロセッサーにマッピングされ、その結果、前記プロキシ−ＩＤに向けられた割り込みは前記交換されるべきプロセッサーを中断する、決定をするステップと、
交換プロセッサーを選択するステップと、
前記交換されるべきプロセッサーを中断する前記割り込みを一時的に制限するステップと、
前記交換プロセッサーを活性化するステップと、
前記交換プロセッサーの区分ＩＤを前記交換されるべきプロセッサーの区分ＩＤに設定するステップと、
前記交換されるべきプロセッサーの状態を前記交換プロセッサーに転送するステップと、
前記プロキシ−ＩＤを前記交換プロセッサーのプロセッサーＩＤにマッピングするステップであって、その結果、前記プロキシ−ＩＤに向けられた前記割り込みは前記交換プロセッサーを中断する、マッピングするステップと
を含む方法。
【請求項１２】
前記区分のオペレーティング・システムを、前記交換されるべきプロセッサーの状態の前記交換プロセッサーへの前記転送の前に休止するステップと、
前記転送の後に前記オペレーティング・システムの休止を解除するステップと
をさらに含む請求項１１に記載の方法。
【請求項１３】
交換プロセッサーの前記選択、割り込みの前記一時的な制限、及び前記交換されるべきプロセッサーの状態の前記交換プロセッサーへの転送は、グローバル管理エンティティーによって実行される請求項１１に記載の方法。
【請求項１４】
前記マッピングは、
（ａ）前記計算装置の非グローバル管理エンティティーが論理的なＡＰＩＣ  ＩＤのみを使用するように、前記計算装置を構成するステップと、
（ｂ）前記論理的なＡＰＩＣ  ＩＤを再マッピングレジスタとして使用するステップと、
（ｃ）前記交換されるべきプロセッサーの論理的なＡＰＩＣ  ＩＤを前記交換プロセッサーに挿入するステップと
を含む論理的なモード配信を使用する請求項１１に記載の方法。
【請求項１５】
前記マッピングは物理的なモード配信を使用する請求項１１に記載の方法。
【請求項１６】
前記物理的なモード配信は、
（ａ）媒介にプロセッサーの不変のＡＰＩＣ  ＩＤを格納するステップと、
（ｂ）前記不変のＡＰＩＣ  ＩＤを前記プロセッサーの物理的なＡＰＩＣ  ＩＤにマッピングするステップと、
（ｃ）前記プロセッサーの物理的なＡＰＩＣ  ＩＤにマッピングされた前記不変のＡＰＩＣ  ＩＤに前記割り込みを向けるステップと
を含む請求項１５に記載の方法。
【請求項１７】
前記媒介はＩ／Ｏ  ＡＰＩＣである請求項１６に記載の方法。
【請求項１８】
前記マッピングは割り込みマッピングを使用する請求項１１に記載の方法。
【請求項１９】
割り込みマッピングは、前記交換されるべきプロセッサーから前記交換プロセッサーに割り込みをリダイレクトすることを含む請求項１８に記載の方法。
【請求項２０】
複数の区分ユニットを含む少なくとも１つの区分を含んでいる計算装置において、プロセッサーを交換プロセッサーでトランスペアレントに交換する方法であって、前記区分は区分識別子（ＩＤ）によって識別され、前記区分ユニットの各々は、前記区分ＩＤによって部分的に識別されるプロセッサーを含み、前記プロセッサーは割り込みに応答することができ、前記方法は、
（ａ）プロセッサーが交換されるべきであるという決定に応答して、交換プロセッサーを選択するステップと、
（ｂ）前記交換されるべきプロセッサーに向けられた割り込みを一時的に制限するステップと、
（ｃ）前記交換プロセッサーを活性化するステップと、
（ｄ）前記交換プロセッサーの区分ＩＤを前記交換されるべきプロセッサーの区分ＩＤに設定するステップと、
（ｅ）前記交換されるべきプロセッサーの状態を前記交換プロセッサーに転送するステップと、
（ｆ）前記交換プロセッサーを前記交換されるべきプロセッサーのＩＤにマッピングするステップと
を含み、前記マッピングは、物理的なモード配信及び論理的なモード配信のうち少なくとも一方を使用して実行され、
前記マッピングが物理的なモード配信を使用する場合、前記マッピングは、
（ｉ）媒介にプロセッサーの不変のＡＰＩＣ  ＩＤを格納するステップと、
（ｉｉ）前記不変のＡＰＩＣ  ＩＤをプロセッサーの物理的なＡＰＩＣ  ＩＤにマッピングするステップと、
（ｉｉｉ）前記プロセッサーの物理的なＡＰＩＣ  ＩＤにマッピングされた前記不変のＡＰＩＣ  ＩＤに前記割り込みを向けるステップと
を含み、
前記マッピングが論理的なモード配信を使用する場合、前記マッピングは、
（ｉ）前記計算装置の非グローバル管理エンティティーが論理的なＡＰＩＣ  ＩＤのみを使用するように、前記計算装置を構成するステップと、
（ｉｉ）前記論理的なＡＰＩＣ  ＩＤを再マッピングレジスタとして使用するステップと、
（ｉｉｉ）前記プロセッサーの論理的なＡＰＩＣ  ＩＤを前記交換プロセッサーに挿入するステップと
を含む方法。